(57)【要約】【課題】  バックアップ電源からの電源供給がなされなくなることにより時刻情報が失われた場合であっても、より効率的に時刻情報を取得可能な電子機器、時刻情報取得方法、及び時刻情報取得処理プログラム等を提供する。【解決手段】  本発明の電子機器は、外部電源から電源供給を受けて計時動作を行う計時手段を備えた電子機器であって、前記外部電源からの電源供給が失われた後、当該電源供給の復旧を検出する電源復旧検出手段と、前記電源復旧検出手段により電源供給の復旧が検出された場合に、外部機器から時刻情報を取得するための取得処理を行う時刻情報取得手段と、を備える。【選択図】  図２
2008025988.tif 000002
【特許請求の範囲】
【請求項１】
外部電源から電源供給を受けて計時動作を行う計時手段を備えた電子機器であって、
前記外部電源からの電源供給が失われた後、当該電源供給の復旧を検出する電源復旧検出手段と、
前記電源復旧検出手段により電源供給の復旧が検出された場合に、外部機器から時刻情報を取得するための取得処理を行う時刻情報取得手段と、
を備えることを特徴とする電子機器。
【請求項２】
請求項１に記載の電子機器において、
所定の限られた電源容量を有するバックアップ電源を更に備え、
前記計時手段は、前記外部電源からの電源供給が失われた後、前記バックアップ電源からの電源供給を受けて計時動作を行い、
前記時刻情報所得手段は、前記電源復旧検出手段により前記外部電源からの電源供給の復旧を検出した際に前記バックアップ電源からの電源供給が既に失われていると判断した場合に前記取得処理を行うことを特徴とする電子機器。
【請求項３】
請求項１又は２に記載の電子機器において、
前記計時手段は、前記時刻情報取得手段により取得された時刻情報の時刻から計時動作を行うことを特徴とする電子機器。
【請求項４】
請求項１乃至３のいずれか一項に記載の電子機器において、
前記計時手段により計時された時刻情報を記憶する揮発性メモリを備え、
前記時刻情報取得手段は、前記揮発性メモリから前記時刻情報が失われているか否かを判別し、その判別結果に応じて前記外部機器から時刻情報を取得することを特徴とする電子機器。
【請求項５】
請求項１乃至４のいずれか一項に記載の電子機器において、
前記時刻情報取得手段による時刻情報の取得可否に基づいて、時刻情報に依存して動作する機能の使用可否を設定する使用可否設定手段を更に備えることを特徴とする電子機器。
【請求項６】
請求項４又は５に記載の電子機器において、
前記時刻情報取得手段は、前記揮発性メモリから前記時刻情報が失われているか否かを判別し、失われている場合には、前記外部機器への接続を促す情報を提示することを特徴とする電子機器。
【請求項７】
請求項５又は６に記載の電子機器において、
前記使用可否設定手段は、前記時刻情報取得手段による前記時刻情報の取得不可の場合には、前記機能の使用を不可設定することを特徴とする電子機器。
【請求項８】
請求項１乃至７のいずれか一項に記載の電子機器において、
当該電子機器は、互いに異なる場所に設置された少なくとも２つの情報再生装置に着脱可能であり、
何れか一方の前記情報再生装置に装着されている場合には、前記外部電源からの電源供給を受けることを特徴とする電子機器。
【請求項９】
外部電源から電源供給を受けて行う計時動作における時刻情報取得方法であって、
前記外部電源からの電源供給が失われた後、当該電源供給の復旧を検出する工程と、
前記電源供給の復旧が検出された場合に、外部機器から時刻情報を取得するための取得処理を行う工程と、
を備えることを特徴とする時刻情報取得方法。
【請求項１０】
外部電源から電源供給を受けて行う計時動作における時刻情報取得方法をコンピュータに実行させる時刻情報所得処理プログラムであって、
前記外部電源からの電源供給が失われた後、当該電源供給の復旧を検出する工程と、
前記電源供給の復旧が検出された場合に、外部機器から時刻情報を取得するための取得処理を行う工程を、コンピュータに実行させることを特徴とする時刻情報取得処理プログラム。
【請求項１１】
請求項１０に記載の時刻情報取得処理プログラムがコンピュータ読み取り可能に記録されていることを特徴とする記録媒体。
【発明の詳細な説明】
【技術分野】
【０００１】
本発明は、オーディオ再生装置に取り外し可能な電子機器等に技術分野に関する。
【背景技術】
【０００２】
近年、車両に搭載された車載用オーディオ再生装置と、自宅に設置された家庭用オーディオ再生装置との双方に着脱可能な電子機器（システムコントローラや記憶部等を実装）が知られており、例えば、ユーザは車両から降りる際、車載用オーディオ再生装置から当該電子機器を取り外して、自宅に持ち帰り家庭用オーディオ再生装置に装着して使用することができるようになっている。これにより、ユーザは、電子機器に記憶されている同じ楽曲データを、車両内でも自宅においても聴くことができる。
【０００３】
ところで、一般に、このような電子機器は、日付と時を刻むＲＴＣ（Real Time Clock）とバックアップ電源が内蔵されており、これによって、電子機器がオーディオ再生装置から取り外されたとしても、一定時間、現在の年月日（カレンダー）及び現在時刻を保持することができる。
【０００４】
特許文献１には、バックアップ電源を有する車載用電子機器が開示されている。
【特許文献１】特開平１０−０１１６８８号公報
【発明の開示】
【発明が解決しようとする課題】
【０００５】
しかしながら、取り外されている時間が長いと、もはやバックアップ電源からの電源供給がなされなくなるため、上記現在時刻等が失われることになる。このような場合、ユーザは、電子機器をオーディオ再生装置に装着した後、例えば入力部を操作して改めて現在時刻等を設定しなければならないという問題（煩雑さ）がある。
【０００６】
一方で、電子機器が有している現在の年月日及び現在時刻に依存して動作する機能、例えば楽曲ヒットチャートプレイ機能の一部においては、楽曲ヒットチャート情報への不正アクセス（例えば、ユーザが故意に過去の年月日を設定することにより、過去の楽曲ヒットチャート情報を不正に取得）防止のために、ユーザによる年月日及び現在時刻の設定を行うことができないようになっている。このような場合、上記のように、電子機器が取り外されている時間が長く、上記現在時刻等が失われると、ユーザが、例えば楽曲ヒットチャートプレイ機能を使用できないという問題がある。
【０００７】
そこで、このような問題の解消を一つの課題とし、バックアップ電源からの電源供給がなされなくなることにより時刻情報が失われた場合であっても、より効率的に時刻情報を取得可能な電子機器、時刻情報取得方法、及び時刻情報取得処理プログラム等を提供することを目的する。また、バックアップ電源からの電源供給がなされなくなることにより時刻情報が失われた場合であっても、時刻情報に依存して動作する機能を適切に動作させることが可能な電子機器等を提供することを目的とする。
【課題を解決するための手段】
【０００８】
上記課題を解決するため、請求項１に記載の発明は、外部電源から電源供給を受けて計時動作を行う計時手段を備えた電子機器であって、前記外部電源からの電源供給が失われた後、当該電源供給の復旧を検出する電源復旧検出手段と、前記電源復旧検出手段により電源供給の復旧が検出された場合に、外部機器から時刻情報を取得するための取得処理を行う時刻情報取得手段と、を備えることを特徴とする。
【０００９】
請求項９に記載の発明は、外部電源から電源供給を受けて行う計時動作における時刻情報取得方法であって、前記外部電源からの電源供給が失われた後、当該電源供給の復旧を検出する工程と、前記電源供給の復旧が検出された場合に、外部機器から時刻情報を取得するための取得処理を行う工程と、を備えることを特徴とする。
【００１０】
請求項１０に記載の時刻情報取得処理プログラムは、外部電源から電源供給を受けて行う計時動作における時刻情報取得方法をコンピュータに実行させる時刻情報所得処理プログラムであって、前記外部電源からの電源供給が失われた後、当該電源供給の復旧を検出する工程と、前記電源供給の復旧が検出された場合に、外部機器から時刻情報を取得するための取得処理を行う工程を、コンピュータに実行させることを特徴とする。
【００１１】
請求項１１に記載の記録媒体は、請求項１０に記載の時刻情報取得処理プログラムがコンピュータ読み取り可能に記録されていることを特徴とする。
【発明を実施するための最良の形態】
【００１２】
以下、本願の最良の実施形態を添付図面に基づいて説明する。なお、以下に説明する実施の形態は、オーディオ再生装置に対して本願を適用した場合の実施形態である。
【００１３】
先ず、図１を参照して、本実施形態における情報再生装置としてのオーディオ再生装置の構成及び機能を説明する。
【００１４】
図１（Ａ）は、車載用オーディオ再生装置の概要ブロック例を示す図であり、図１（Ｂ）は、家庭用オーディオ再生装置の概要ブロック例を示す図である。なお、車載用オーディオ再生装置ＳＡは、例えば車両内に設置（搭載）される一方、家庭用オーディオ再生装置ＳＢは、例えば住宅等の建物内の一室に設置される。つまり、車載用オーディオ再生装置ＳＡと家庭用オーディオ再生装置ＳＢとは、異なる場所に設置されることになる。
【００１５】
車載用オーディオ再生装置ＳＡは、図１（Ａ）に示すように、電子機器１、音声処理部２ａ、スピーカ３ａ、及びＧＰＳ受信機４ａ等を備えて構成されている。電子機器１は、車載用オーディオ再生装置ＳＡに着脱可能になっており、当該電子機器１が車載用オーディオ再生装置ＳＡに装着されている場合には、車両に搭載された外部電源としてのバッテリー電源５ａからＡＣＣスイッチ６を介して電源供給を受けるようになっている。
【００１６】
一方、家庭用オーディオ再生装置ＳＢは、図１（Ｂ）に示すように、電子機器１、音声処理部２ｂ、スピーカ３ｂ、及びＧＰＳ受信機４ｂ等を備えて構成されている。電子機器１は、家庭用オーディオ再生装置ＳＢに着脱可能になっており（つまり、ユーザは、例えば車載用オーディオ再生装置ＳＡから電子機器１を取り外して自宅に持ち込み、家庭用オーディオ再生装置ＳＢに装着することが可能である）、当該電子機器１が家庭用オーディオ再生装置ＳＢに装着されている場合には、外部電源としての家庭用ＡＣ電源５ｂから電源供給を受けるようになっている。
【００１７】
電子機器１は、図１（Ａ）及び図１（Ｂ）に示すように、計時手段としてのＲＴＣ（Real Time Clock）１１と、揮発性メモリとしてのＳＤＲＡＭ（Synchronous Dynamic RAM）１２と、所定の限られた電源容量を有するバックアップ電源（内部バッテリー電池）１３と、ＨＤＤ（Hard Disc Drive）部１４と、操作・表示部１５と、ＬＡＮ（Local Area Network）インターフェイス（Ｉ／Ｆ）１６と、コンピュータとしてのシステムコントローラ１７と、を備えて構成されている。
【００１８】
ＲＴＣ部１１は、バッテリー電源５ａ又は家庭用ＡＣ電源５ｂからの電源供給を受けて計時動作を行い、年月日と時を刻む（現在日時を提供する時計機能）ようになっている。また、電子機器１が車載用オーディオ再生装置ＳＡ及び家庭用オーディオ再生装置ＳＢの何れにも装着されておらず外部電源からの電源供給がない場合でも、ＲＴＣ部１１は、バックアップ電源１３からの電源供給を受け電源容量に応じた、限られた時間、計時動作する。
【００１９】
ＳＤＲＡＭ１２は、バッテリー電源５ａ又は家庭用ＡＣ電源５ｂからの電源供給を受け、ＲＴＣ部１１により計時された年月日と時刻を時刻情報として記憶するようになっている。また、電子機器１が車載用オーディオ再生装置ＳＡ及び家庭用オーディオ再生装置ＳＢの何れにも装着されておらず外部電源からの電源供給がない場合でも、ＳＤＲＡＭ１２は、バックアップ電源１３からの電源供給を受け電源容量に応じた、限られた時間、上記時刻情報を記憶する。なお、バックアップ電源１３からの電源供給もなくなると、ＳＤＲＡＭ１２から時刻情報が失われる（消去）ことになる。
【００２０】
ＨＤＤ部１４は、ハードディスク、ハードディスクドライブ等を備え、システムコントローラ１７の制御の下、ハードディスクドライブにより、例えばオーディオデータ等がハードディスクに記憶又は読み出されるようになっている。
【００２１】
操作・表示部１５は、ユーザからの各種操作指示を入力するための複数の操作ボタンと、各種情報を表示するための表示パネル（例えば液晶パネル等）と、を備えている。ユーザにより操作ボタンが押下された場合、その操作ボタンに応じた指示信号がシステムコントローラ１７に出力されるようになっている。
【００２２】
ＬＡＮインターフェイス１６は、例えばＵＳＢ（Universal Serial Bus）／イーサーネット変換アダプタ等を備え、電子機器１とＬＡＮ７とを接続するようになっている。これにより、電子機器１は、図示しないハブ（例えばスイッチングハブやリピータハブ）、ルータ及びインターネット８を介して、時刻情報（現在の年月日と時刻（現在時刻））を配信するタイムサーバ９に接続可能になっている。これにより、システムコントローラ１７は、時刻情報をタイムサーバ９から取得可能となる。
【００２３】
音声処理部２ａ及び２ｂは、夫々、ＨＤＤ部１４から読み出された例えばオーディオデータに対して所定のデジタル信号処理（圧縮データの伸張も含む）を施してデジタルオーディオ信号を生成するＤＳＰ（Digital Signal Processor）、前記生成されたデジタルオーディオ信号をアナログオーディオ信号に変換するＤＡＣ（Digital-to-Analog Converter）、及び前記変換されたアナログオーディオ信号を増幅して出力するＡＭＰ（Amplifier）等を備えている。そして、ＡＭＰから出力されたアナログオーディオ信号は、スピーカ３ａ又は３ｂから音波として出力される。なお、音声処理部及びスピーカは、電子機器１に設けられてもよい。
【００２４】
ＧＰＳ（Global Positioning System）受信機４ａ及び４ｂは、衛星軌道上に配置され地球を周回するＧＰＳ衛星から出力された電波を受信して、これに含まれる時刻情報（現在の年月日と時刻）を抽出してシステムコントローラ１７に出力するようになっている。
【００２５】
システムコントローラ１７は、ＣＰＵ、作業用ＲＡＭ、及び各種データやコンピュータプログラム（本願の時刻情報取得処理プログラムを含む）を記憶するＲＯＭ等を備えており、ＣＰＵがＲＯＭに記憶されたプログラムを実行することにより、電子機器１全体を統括制御するとともに、本願の電源復旧検出手段、時刻情報取得手段、及び使用可否設定手段等として機能するようになっている。
【００２６】
具体的には、システムコントローラ１７は、車載用オーディオ再生装置ＳＡ又は家庭用オーディオ再生装置ＳＢから電子機器１が取り外されることにより、バッテリー電源５ａ又は家庭用ＡＣ電源５ｂからの電源供給が失われた後、再び車載用オーディオ再生装置ＳＡ又は家庭用オーディオ再生装置ＳＢに装着されることで、バッテリー電源５ａ又は家庭用ＡＣ電源５ｂからの電源供給の復旧を電源復旧検出手段として検出するようになっている。
【００２７】
そして、システムコントローラ１７は、上記電源供給（バッテリー電源５ａ又は家庭用ＡＣ電源５ｂからの電源供給）の復旧を検出した場合に、使用可否設定手段として、ＳＤＲＡＭ１２から時刻情報（現在の年月日と時刻）が失われているか（消去されているか）否かを判別し、失われている場合には、外部機器としてのＧＰＳ受信機４ａ又は４ｂ又はタイムサーバ９から、時刻情報を自動的に取得するための取得処理（例えば、時刻情報の取得を試みて、取得できた場合に時刻情報を設定する処理）を行うようになっている（なお、上記電源供給の復旧が検出された場合に、ＧＰＳ受信機４ａ又は４ｂ又はタイムサーバ９から、時刻情報を自動的に取得するための取得処理を行うようにしてもよい）。この際、電子機器１が上記外部機器と接続されていない場合には、システムコントローラ１７は、外部機器への接続を促す情報を提示、例えば、操作・表示部１５における表示パネル上に表示するようになっている。
【００２８】
さらに、システムコントローラ１７は、当該時刻情報（現在の年月日と時刻）の取得可否に基づいて、時刻情報に依存して動作する機能の使用可否を設定するようになっている。
【００２９】
ここで、時刻情報に依存して動作する機能とは、例えば、期間限定で（例えば、２００３年１２月１４日〜２００５年１２月１４日の２年間）動作するコンピュータプログラム等に基づく機能や、一定の期間（例えば、現在から過去２ヶ月の期間）の情報（例えば、楽曲のヒットチャート情報）を例えばインターネット８上の所定のサーバから取得するコンピュータプログラム等に基づく機能等を意味する。例えば、期間限定で動作するコンピュータプログラム等に基づく機能の場合、上記時刻情報に係る現在の年月日と時刻によって（依存して）当該機能の使用可否が決まり、一定の期間の情報を取得するコンピュータプログラム等に基づく機能の場合、上記時刻情報に係る現在の年月日と時刻によって（依存して）、当該取得される情報が決まる（つまり、システムコントローラ１７側では、上記時刻情報に係る現在の年月日と時刻によって当該期間を特定する）ことになる。なお、本実施形態では、このような時刻情報に依存して動作する機能においては、ユーザによる時刻情報の設定及び変更はできない（つまり、当該機能に係るプログラム上では、ユーザによる時刻情報の設定不可）ようになっている。
【００３０】
このような、時刻情報に依存して動作する機能を、外部機器からの時刻情報の取得不可の場合に、使用不可（ロック）に設定（動作不能となるように設定）する、言い換えれば、外部機器からの時刻情報を取得できた場合に、使用可に設定（動作するように設定）することにより、当該時刻情報に依存して動作する機能を適切に働かせることが可能となる。
【００３１】
なお、時刻情報取得処理プログラムは、例えばインターネット上の所定のサーバからダウンロードされるようにしてもよいし、例えばＣＤ−ＲＯＭ等の記録媒体に記録されて当該記録媒体のドライブを介して読み込まれるようにしてもよい。
【００３２】
次に、図２を参照して、本実施形態におけるオーディオ再生装置の動作を説明する。
【００３３】
図２は、システムコントローラ１７における使用可否設定処理（時刻情報取得処理を含む）を示すフローチャートである。
【００３４】
例えば、ユーザにより、車両に搭載された車載用オーディオ再生装置ＳＡに装着されていた電子機器１が取り外され、自宅の一室に設置された家庭用オーディオ再生装置ＳＢに装着され、家庭用ＡＣ電源５ｂから電気機器１に対して電源供給がなされると、システムコントローラ１７は、電源供給の復旧を検出し、図２に示す処理を開始する。
【００３５】
図２に示す処理において、先ず、システムコントローラ１７は、ＳＤＲＡＭ１２から時刻情報（現在の年月日と時刻）が失われているか否かを判別し（ステップＳ１）、当該時刻情報が失われていた場合（つまり、バックアップ電源１３からの電源供給がなくなった場合）には（ステップＳ１：Ｙ）、操作・表示部１５における表示パネル上に当該時刻情報が失われていることを示す情報を表示する（ステップＳ２）。一方、当該時刻情報が失われていない場合（つまり、バックアップ電源１３により、当該時刻情報がメモリ保持されている場合）には（ステップＳ１：N）、ステップＳ７に移行する。
【００３６】
次いで、システムコントローラ１７は、外部機器としてのＧＰＳ受信機４ｂに接続若しくはＬＡＮ７に接続されているか否かを判別し（ステップＳ３）、接続されていない場合には（ステップＳ３：Ｎ）、ＧＰＳ受信機４ｂに接続若しくはＬＡＮ７に接続を促す情報を操作・表示部１５における表示パネル上に表示する（ステップＳ４）。
【００３７】
一方、ＧＰＳ受信機４ｂに接続若しくはＬＡＮ７に接続されている場合には（ステップＳ３：Ｙ）、システムコントローラ１７は、ＧＰＳ受信機４ｂからの時刻情報（現在の年月日と時刻）の取得、又はＬＡＮ７及びインターネット８を介してタイムサーバ９からの時刻情報（現在の年月日と時刻）の取得処理を行う（ステップＳ５）。
【００３８】
次いで、システムコントローラ１７は、当該時刻情報（現在の年月日と時刻）が取得できたか否かを判別し（ステップＳ６）、できた場合には（ステップＳ６：Ｙ）、当該取得した時刻情報をＳＤＲＡＭ１２等に設定（これにより、当該時刻から年月日と時が刻まれるようになる、つまり、ＲＴＣ部１１は、当該取得された時刻情報の時刻から計時動作を行う）し、時刻情報に依存して動作する機能、例えば、楽曲のヒットチャートプレイ機能を使用可に設定し（ステップＳ７）、当該処理を終了する。これにより、電気機器１は、例えば、ユーザによる操作ボタンを操作指示に応じて、所定期間（例えば、現在から過去２ヶ月以内）の楽曲のヒットチャート情報を、例えばインターネット８上における所定のサーバからダウンロードすることができるようになり、ヒットチャート情報に基づき楽曲（オーディオデータ）を再生することができる。
【００３９】
一方、システムコントローラ１７は、当該時刻情報（現在の年月日と時刻）が取得できない場合には（ステップＳ６：Ｎ）、上記時刻情報に依存して動作する機能、例えば、楽曲のヒットチャートプレイ機能を使用不可に設定し（ステップＳ８）、当該処理を終了する。これにより、例えば、使用期限があるような機能を確実に使用を不能（ロック）とすることができる。また、例えば、当該電子機器１が使用期限のあるレンタル品のような場合に、当該時刻情報（現在の年月日と時刻）が取得できないと、当該電子機器１の全機能（オーディオデータの再生機能等を含む）の使用を不能（ロック）とすることができる。
【００４０】
以上説明したように、上記実施形態によれば、電子機器１が長い時間取り外され、バックアップ電源１３からの電源供給がなされなくなることにより時刻情報が失われた場合であっても、当該時刻情報が失われたことを検出し、外部機器としてのＧＰＳ受信機４ａ又は４ｂ又はタイムサーバ９から、時刻情報を自動的に取得するための取得処理（例えば、時刻情報の取得を試みて、取得できた場合に時刻情報を設定する処理）を行うようにしたので、より効率的に時刻情報を取得して設定することができる。従って、ユーザが時刻情報を設定する煩雑さを無くすことができる。また、電子機器１に大容量のバックアップ電源を搭載する必要がないので、その分のコスト発生を抑えることができる。
【００４１】
更に、時刻情報を自動的に取得するための取得処理により時刻情報を取得できた場合には、時刻情報に依存して動作する機能を使用可に設定し、当該時刻情報を取得できない場合には、当該機能を使用不可に設定するようにしたので、当該時刻情報に依存して動作する機能を適切に働かせることができる。従って、電子機器１における上記時刻情報に依存して動作する機能と、電子機器１の着脱機能とを両立することができる。
【００４２】
なお、上記実施形態において、電子機器１は、オーディオ再生装置に対して適用した例を示したが、これに限定されるものではなく、例えば、車載用ナビゲーション装置や、音声及び映像情報を再生するＡＶ（オーディオビジュアル）再生装置に対しても適用可能である。
【図面の簡単な説明】
【００４３】
【図１】（Ａ）は、車載用オーディオ再生装置の概要ブロック例を示す図であり、（Ｂ）は、家庭用オーディオ再生装置の概要ブロック例を示す図である。
【図２】システムコントローラ１７における使用可否設定処理を示すフローチャートである。
【符号の説明】
【００４４】
１  電子機器
２ａ，２ｂ  音声処理部
３ａ，３ｂ  スピーカ
４ａ，４ｂ  ＧＰＳ受信機
５ａ  バッテリー電源
５ｂ  家庭用ＡＣ電源
６  ＡＣＣスイッチ
７  ＬＡＮ
８  インターネット
９  タイムサーバ
１１  ＲＴＣ
１２  ＳＤＲＡＭ
１３  バックアップ電源
１４  ＨＤＤ部
１５  操作・表示部
１６  ＬＡＮインターフェイス
１７  システムコントローラ
ＳＡ  車載用オーディオ再生装置
ＳＢ  家庭用オーディオ再生装置
【図１】
2008025988.tif 000003
【図２】
2008025988.tif 000004